(57)【特許請求の範囲】
【請求項１】
商用電源を整流・平滑して直流電圧を出力する電源回路と、
電源回路から出力された直流電圧を高周波電圧に変換して出力するインバータ回路と、  インバータ回路の高周波電圧により点灯される主照明灯と、
商用電源に接続された補助照明灯と、
インバータ回路に点灯・調光信号を出力し、主照明灯の点灯・調光制御を行う調光制御回路と、
補助照明灯の点灯制御を行う補助照明制御回路と、
主照明灯・補助照明灯の点灯指令、主照明灯・補助照明灯の減光又は増光の調光指令を出力するリモコン用送信器と、
調光制御回路が出力する調光信号に基づいて主照明灯の調光の下限判定を行い、判定信号を点灯切替回路に出力する下限判定回路と、
リモコン用送信器から伝送された主照明灯点灯指令に基づいて調光制御回路に点灯制御信号を出力した後に、更にリモコン用送信器から減光指令が伝送されたときにその減光指令に基づいて調光制御回路に減光制御信号を出力し、下限判定回路が主照明灯の減光状態が所定の下限に達したことを判別した下限判別信号に基づき、その下限状態を一定期間継続させ、その一定期間経過後に更にリモコン用送信器から減光指令が伝送されているときに調光制御回路に消灯制御信号を出力すると共に補助照明制御回路に点灯信号を出力する点灯切替制御回路と、
を備え、
前記点灯信号により補助照明灯が点灯したときの点灯の明るさと、主照明灯の下限状態の点灯の明るさとがほぼ同等に設定されていることを特徴とする照明装置。
【請求項２】
上記点灯切替制御回路は上記リモコン用送信器から減光指令が伝送されている途中に、更にリモコン用送信器からの減光指令が停止されたときは当該停止時における減光状態の減光制御信号を調光制御回路に出力し続けることを特徴とする請求項１記載の照明装置。
【請求項３】
商用電源を整流・平滑して直流電圧を出力する電源回路と、
電源回路から出力された直流電圧を高周波電圧に変換して出力するインバータ回路と、
インバータ回路の高周波電圧により点灯される主照明灯と、
商用電源に並列接続された補助照明灯と、
インバータ回路に点灯・調光信号を出力し、主照明灯の点灯・調光制御を行う調光制御回路と、補助照明灯の点灯制御を行う補助照明制御回路と、
主照明灯・補助照明灯の点灯指令、主照明灯・補助照明灯の減光又は増光の調光指令を出力するリモコン用送信器と、
リモコン用送信器から伝送された補助照明点灯指令に基づいて補助照明制御回路に点灯制御信号を出力して補助照明を点灯させた状態を継続させた後に、更にリモコン用送信器から増光指令が伝送されたときにその増光指令に基づいて補助照明制御回路に消灯信号を出力すると共に主照明灯を下限状態から増光させる増光制御信号を調光制御回路に出力する点灯切替制御回路と、
を備え、
補助照明制御回路に前記消灯信号が出力されるときの補助照明灯の点灯の明るさと、主照明灯の下限状態の点灯の明るさとがほぼ同等に設定されていることを特徴とする照明装置。
【請求項４】
上記点灯切替制御回路は上記リモコン用送信器から増光指令が伝送されたときにその増光指令に基づいて調光制御回路に増光制御信号を出力している途中に、更にリモコン用送信器からの増光指令が停止されたときは当該停止時における増光状態の増光制御信号を調光制御回路に出力し続けることを特徴とする請求項３記載の照明装置。
【請求項５】
上記補助照明制御回路と上記点灯切替制御回路との間に位相制御回路を設け、該位相制御回路は上記点灯切替制御回路からの点灯信号に基づいて上記補助照明制御回路に減光するよう位相制御した点灯信号を出力するようにしたことを特徴とする請求項１記載の照明装置。
【請求項６】
上記点灯切替制御回路は上記位相制御回路が上記補助照明制御回路に減光するよう位相制御した信号を出力している途中に、更にリモコン用送信器からの減光指令が停止されたときは当該停止時における減光状態の点灯信号を上記補助照明制御回路に出力し続けることを特徴とする請求項５記載の照明装置。
【請求項７】
上記位相制御回路が出力する増光するよう位相制御した点灯信号に基づいて補助照明灯の調光の上限判定を行い、上限判定信号を上記点灯切替制御回路に出力する上限判定回路を備え、上記点灯切替制御回路は上限判定回路が補助照明灯の増光状態が所定の上限に達したことを判別した上限判別信号に基づき、その上限状態を一定期間継続させ、その一定期間経過後に更にリモコン用送信器から増光指令が伝送されているときに上記位相制御回路に消灯制御信号を出力すると共に上記調光制御回路に増光制御信号を出力することを特徴とする請求項５記載の照明装置。
【請求項８】
上記点灯切替制御回路は上記リモコン用送信器から増光指令が伝送されている途中に、更にリモコン用送信器からの増光指令が停止されたときは当該停止時における増光状態の点灯信号を補助照明制御回路に出力し続けることを特徴とする請求項７記載の照明装置。
【請求項９】
上記下限判定回路からの下限判定信号を受けて鳴動する音声発生器を備えたことを特徴とする請求項１又は５のいずれかに記載の照明装置。
【請求項１０】
上記下限判定回路からの下限判定信号を受けて上記インバータ回路に点滅信号を出力する点滅制御回路を備えたことを特徴とする請求項１又は５のいずれかに記載の照明装置。
【発明の詳細な説明】
【０００１】
【発明の属する技術分野】
本発明は例えば連続調光可能な主照明灯と補助照明灯を有する照明器具、特にリモコン操作による主照明灯と補助照明灯との切り換わりを制御するようにした照明装置に関するものである。
【０００２】
【従来の技術】
図７は例えば特開平５−１０９４８９号公報に開示されている従来の照明装置の構成を示すブロック図、図８は同照明装置の動作説明図である。図において、商用電源ＡＣに整流・平滑機能を有する電源部２１を接続し、この電源部２１の出力のＤＣ電圧をインバータ回路２２に印加し、このインバータ回路２２の動作により主照明としての放電灯ＦＬを点灯させるものである。
【０００３】
また、上記商用電源ＡＣに並列にリモートコントロール可能なスイッチＳＷ１と補助照明としての豆球ＩＬを接続している。上記インバータ回路２２は点灯モード切り替え回路２３からの点灯信号により放電灯ＦＬを点滅させることができる。また、調光回路２４からの調光信号により放電灯ＦＬの調光を行うことができるようになっている。
ここで、点灯モード切り替え回路２３に設けられているスイッチＳＷ4 は点灯モードを切り替えるスイッチであり、使用者が設定或いは押すことにより点灯モードの切り替えを行うものである。また、調光回路２４のスイッチＳＷ2 、ＳＷ3 は蛍光灯からなる放電灯ＦＬの調光レベルを上げ、下げするスイッチである。
更に、調光回路２４の調光レベルを検出する調光レベル検出回路２５と、該調光レベル検出回路２５の出力にてスイッチＳＷ1 を駆動するラッチ回路２６が設けられている。
【０００４】
以上のような回路構成において、調光回路２４のスイッチＳＷ2 、ＳＷ3 の操作により調光度合いを略０％にとすると、調光レベル検出回路２５により調光度合いを検出し、ラッチ回路２６に信号を送出する。この信号を受けてラッチ回路２６は豆球ＩＬを点灯させるスイッチＳＷ1 をオンさせる。
このことにより、調光回路２４からの調光信号により、インバータ回路２２を調光していくと共に、調光度合いが略０％になると、調光レベル検出回路２５及びラッチ回路２６により、補助照明である豆球ＩＬを自動的に点灯させることができる。このとき、調光レベル検出回路２５からの信号はラッチ回路２６以外に点灯モード切り替え回路２３に送られ、点灯モードそのものを放電灯ＦＬの点灯モードから豆球ＩＬの点灯モードに切り替える。
【０００５】
以上の動作により、調光度合いが略０％になると、点灯モードを自動的に切り替え、放電灯ＦＬから豆球ＩＬへと動作を切り替えることができる。また、点灯モード切り替え回路２３により、滅モード、放電灯モードに設定されると、ラッチ回路２６にリセット信号が印加され、豆球ＩＬはスイッチＳＷ1 の開離により消灯すると共に、滅モードの場合であれば、インバータ回路２２への点灯信号がなくなり、インバータ回路２２の動作の停止により滅状態を実現する。また、放電灯モードの場合であれば、点灯信号オンによりインバータ回路２２を動作させ、放電灯ＦＬを点灯させる。
以上のような動作により、点灯モード切り替え回路２３により、通常は放電灯ＦＬ、豆球ＩＬ、滅と点灯モードを切り替えると共に、放電灯ＦＬの調光度合いによぅて放電灯ＦＬの調光点灯であったり、調光度合いを略０％にすると、豆球ＩＬの点灯モードに自動的に切り換えることが可能となる。図８は以上の放電灯ＦＬ、豆球ＩＬの動作を表したものである。
【０００６】
【発明が解決しようとする課題】
上記のような従来の照明装置では、暗の減光信号を送り続けた場合、主照明灯である放電灯ＦＬが下限状態の略０％になったとき、自動的に補助照明灯である豆球ＩＬに切り換えられてしまうため、使用者が主照明灯の放電灯ＦＬの下限状態での点灯を維持したくとも自動的に補助照明灯の豆球ＩＬに切り換えられてしまい、使用者の意思とは違う点灯モードになってしまうという問題があった。
また、主照明灯の放電灯ＦＬが略０％であるにも拘わらず、補助照明灯の豆球ＩＬに切り換わることで、一旦明るくなってしまうという問題もあった。
さらに、補助照明モードから主照明モードに切り換える場合には、別の操作を必要とし、しかも主照明灯の放電灯ＦＬと補助照明灯の豆球ＩＬとは違う明るさで点灯するため、明るさの変化が起きるという問題もあった。
【０００７】
本発明は、このような問題点を解決するためになされたものであり、主照明灯がリモコン操作により、伝送された暗の減光信号に基づいて減光状態が下限に達した時、更に暗の減光信号がある一定期間伝送され続けたときには負荷を補助照明灯に切り換え、逆に補助照明灯の点灯モード時に明の増光信号が伝送された場合は即座に負荷を主照明に切り換えるようにした照明装置を提供することを目的とする。
【０００８】
【課題を解決するための手段】
本発明の請求項１に係る照明装置は、商用電源を整流・平滑して直流電圧を出力する電源回路と、電源回路から出力された直流電圧を高周波電圧に変換して出力するインバータ回路と、インバータ回路の高周波電圧により点灯される主照明灯と、商用電源に接続された補助照明灯と、インバータ回路に点灯・調光信号を出力し、主照明灯の点灯・調光制御を行う調光制御回路と、補助照明灯の点灯制御を行う補助照明制御回路と、主照明灯・補助照明灯の点灯指令、主照明灯・補助照明灯の減光又は増光の調光指令を出力するリモコン用送信器と、調光制御回路が出力する調光信号に基づいて主照明灯の調光の下限判定を行い、判定信号を点灯切替回路に出力する下限判定回路と、リモコン用送信器から伝送された主照明灯点灯指令に基づいて調光制御回路に点灯制御信号を出力した後に、更にリモコン用送信器から減光指令が伝送されたときにその減光指令に基づいて調光制御回路に減光制御信号を出力し、下限判定回路が主照明灯の減光状態が所定の下限に達したことを判別した下限判別信号に基づき、その下限状態を一定期間継続させ、その一定期間経過後に更にリモコン用送信器から減光指令が伝送されているときに調光制御回路に消灯制御信号を出力すると共に補助照明制御回路に点灯信号を出力する点灯切替制御回路とを備え、点灯信号により補助照明灯が点灯したときの点灯の明るさと、主照明灯の下限状態の点灯の明るさとがほぼ同等に設定されているものである。
【０００９】
本発明の請求項２に係る照明装置は、上記点灯切替制御回路が上記リモコン用送信器から減光指令が伝送されている途中に、更にリモコン用送信器からの減光指令が停止されたときは当該停止時における減光状態の減光制御信号を調光制御回路に出力し続けるようにしたものである。
【００１０】
本発明の請求項３に係る照明装置は、商用電源を整流・平滑して直流電圧を出力する電源回路と、電源回路から出力された直流電圧を高周波電圧に変換して出力するインバータ回路と、インバータ回路の高周波電圧により点灯される主照明灯と、商用電源に並列接続された補助照明灯と、インバータ回路に点灯・調光信号を出力し、主照明灯の点灯・調光制御を行う調光制御回路と、補助照明灯の点灯制御を行う補助照明制御回路と、主照明灯・補助照明灯の点灯指令、主照明灯・補助照明灯の減光又は増光の調光指令を出力するリモコン用送信器と、リモコン用送信器から伝送された補助照明点灯指令に基づいて補助照明制御回路に点灯制御信号を出力して補助照明を点灯させた状態を継続させた後に、更にリモコン用送信器から増光指令が伝送されたときにその増光指令に基づいて補助照明制御回路に消灯信号を出力すると共に調光制御回路に増光制御信号をインバータ回路に出力する点灯切替制御回路とを備えて構成されている。
【００１１】
本発明の請求項４に係る照明装置は、上記点灯切替制御回路が上記リモコン用送信器から増光指令が伝送されたときにその増光指令に基づいて調光制御回路に増光制御信号を出力している途中に、更にリモコン用送信器からの増光指令が停止されたときは当該停止時における増光状態の増光制御信号を調光制御回路に出力し続けるようにしたものである。
【００１２】
本発明の請求項５に係る照明装置は、上記補助照明制御回路と上記点灯切替制御回路との間に位相制御回路を設け、該位相制御回路は上記点灯切替制御回路からの点灯信号に基づいて上記補助照明制御回路に減光するよう位相制御した点灯信号を出力するようにしたものである。
【００１３】
本発明の請求項６に係る照明装置は、上記点灯切替制御回路は上記位相制御回路が上記補助照明制御回路に減光するよう位相制御した信号を出力している途中に、更にリモコン用送信器からの減光指令が停止されたときは当該停止時における減光状態の点灯信号を上記補助照明制御回路に出力し続けるようにしたものである。
【００１４】
本発明の請求項７に係る照明装置は、上記位相制御回路が出力する増光するよう位相制御した点灯信号に基づいて補助照明灯の調光の上限判定を行い、上限判定信号を上記点灯切替制御回路に出力する上限判定回路を備え、上記点灯切替制御回路は上限判定回路が補助照明灯の増光状態が所定の上限に達したことを判別した上限判別信号に基づき、その上限状態を一定期間継続させ、その一定期間経過後に更にリモコン用送信器から増光指令が伝送されているときに上記位相制御回路に消灯制御信号を出力すると共に上記調光制御回路に増光制御信号を出力するようにしたものである。
【００１５】
本発明の請求項８に係る照明装置は、上記点灯切替制御回路が上記リモコン用送信器から増光指令が伝送されている途中に、更にリモコン用送信器からの増光指令が停止されたときは当該停止時における増光状態の点灯信号を補助照明制御回路に出力し続けるようにしたものである。
【００１６】
本発明の請求項９に係る照明装置は、上記下限判定回路からの下限判定信号を受けて鳴動する音声発生器を備えるようにしたものである。
【００１７】
本発明の請求項１０に係る照明装置は、上記下限判定回路からの下限判定信号を受けて上記インバータ回路に点滅信号を出力する点滅制御回路を備えるようにしている。
【００１８】
【発明の実施の形態】
実施の形態１．
図１は本発明の実施の形態１の照明装置の構成を示すブロック図、図２は同照明装置の動作説明図である。
図において、１は商用電源を整流し、平滑して直流電圧を出力する電源回路、２は電源回路１から出力された直流電圧を高周波電圧に変換して出力するインバータ回路、３はインバータ回路２の高周波電圧により点灯される主照明灯である蛍光ランプ、４は商用電源に並列接続された補助照明灯としての豆球ＩＬである。この蛍光ランプ３の後述する下限状態の点灯の明るさと豆球４の１００％の点灯の明るさはほぼ同等となるように設定されている。
５は蛍光ランプ３の調光を行うために、インバータ回路２に点灯・調光信号を出力し、蛍光ランプ３の点灯・調光制御を行う調光制御回路、６は電源回路１とインバータ回路２と調光制御回路５とで構成された蛍光灯点灯回路、７は豆球ＩＬの点灯制御を行う補助照明制御回路である。
【００１９】
８は主照明灯・補助照明灯の点灯指令、主照明灯・補助照明灯の減光又は増光の調光指令等の各種指令を赤外線で出力するリモコン用送信器、９はリモコン用送信器８から赤外線により伝送された各種指令を受信して電気指令信号として出力する赤外線受信回路、１０は赤外線受信回路９からの各種の電気指令信号を受けて主照明灯又は補助照明灯の点灯制御信号及び主照明灯又は補助照明灯の調光レベルの調整を行う調光制御信号を出力する点灯切替回路、１１は調光制御回路５が出力する調光信号に基づいて蛍光ランプ３の調光の下限判定を行い、下限判定信号を点灯切替回路１０に出力する下限判定回路、１２は補助照明制御回路７が出力する点灯信号に基づいて補助照明の点灯確認を行い、確認信号を点灯切替回路１０に出力する点灯確認制御回路である。１３は赤外線受信回路９と、点灯制御回路１０と、下限判定回路１１と、点灯確認制御回路１２とで構成されたリモコン制御回路である。
【００２０】
次に、本発明の実施の形態１の照明装置の動作について図１及び図２の動作説明図に基づいて説明する。
まず、リモコン用送信器８を操作して主照明灯である蛍光ランプ３を点灯させる点灯指令を伝送すると、その点灯指令を赤外線受信回路９が受信する。赤外線受信回路９は伝送された点灯指令を電気指令信号に変換してを点灯切替制御回路１０に出力し、点灯切替制御回路１０はその電気指令信号に基づく点灯制御信号を調光制御回路５に出力する。調光制御回路５では切替制御回路１０からの点灯制御信号に基づいて１００％点灯の調光信号（即ち、点灯信号）をインバータ回路２に出力し、インバータ回路２は蛍光ランプ３を１００％の点灯モードで点灯させる。
【００２１】
このように蛍光ランプ３が１００％の点灯モードで点灯させられている場合に、更にリモコン用送信器８を押圧操作して主照明灯である蛍光ランプ３を暗とさせる減光指令を伝送すると、その減光指令を赤外線受信回路９が受信する。赤外線受信回路９は伝送された減光指令を電気指令信号に変換して点灯切替制御回路１０に出力し、点灯切替制御回路１０はその電気指令信号に基づき減光制御信号を調光制御回路５に出力する。
調光制御回路５では切替制御回路１０からの減光制御信号に基づいて減光の調光信号をインバータ回路２に出力し、インバータ回路２は蛍光ランプ３の点灯を１００％の点灯モードから減光モードに移行させ、蛍光ランプ３の点灯を次第に減光させる。このとき、リモコン用送信器８は減光指令を出力するよう押圧操作したままとする。なお、蛍光ランプ３の点灯が減光の途中にリモコン用送信器８の減光指令を伝送する押圧操作をやめると、蛍光ランプ３の点灯はその時点の減光レベルの点灯が継続されることとなる。
【００２２】
そして、蛍光ランプ３の点灯が所定の下限状態（豆球４の１００％に近い光束となる状態）に達し、更にリモコン用送信器８が減光指令を伝送するよう押圧操作されたままで一定期間経過すると、点灯切替制御回路１０では下限判定回路１１からの下限判定信号を受けて内蔵のタイマーを起動させ、それから一定期間経過後に赤外線受信回路９から減光指令の電気指令信号を受けていれば、まず補助照明である豆球４を点灯させる点灯信号を補助照明制御回路７に出力し、補助照明制御回路７はその点灯信号に基づいて豆球４を点灯させる。このとき、点灯確認制御回路１２は補助照明制御回路７からの点灯信号を受けて点灯を確認し、点灯確認信号を点灯切替制御回路１０に出力する。
点灯切替制御回路１０では点灯確認信号を受けて調光制御回路５に消灯指令の電気信号を出力し、その電気信号を受けた調光制御回路５は消灯信号をインバータ回路２に出力し、インバータ回路２は蛍光ランプ３を消灯させる。従って、蛍光ランプ３の消灯は豆球４の点灯が確認されてから行われる。
なお、蛍光ランプ３の点灯が下限状態の点灯モードの途中に、リモコン用送信器８の増光指令を出力する押圧操作をやめると、蛍光ランプ３の点灯はその下限状態の点灯モードの点灯が継続されることになる。
【００２３】
次に、リモコン用送信器８を操作して補助照明である豆球４を点灯させる点灯指令を伝送すると、その点灯指令を赤外線受信回路９が受信する。赤外線受信回路９は伝送された点灯指令を電気指令信号に変換して点灯切替制御回路１０に出力し、点灯切替制御回路１０はその電気指令信号に基づき点灯信号を補助照明制御回路７に出力する。補助照明制御回路７では切替制御回路１０からの点灯信号に基づいて豆球４を１００％の点灯モードで点灯させる。
このように豆球４が１００％の点灯モードで点灯させられている場合に、リモコン用送信器８を押圧操作して主照明である蛍光ランプ３を明とさせる増光指令を伝送すると、その増光指令を赤外線受信回路９が受信する。赤外線受信回路９は伝送された増光指令を電気指令信号に変換して点灯切替制御回路１０に出力し、点灯切替制御回路１０はその電気指令信号に基づき増光制御信号を調光制御回路５に出力すると共に消灯信号を補助照明制御回路７に出力する。補助照明制御回路７では切替制御回路１０からの消灯信号に基づいて豆球４を即座に消灯させる。
【００２４】
他方、調光制御回路５では、切替制御回路１０からの増光制御信号に基づいて所定の下限状態（豆球４の１００％に近い光束となる状態）から次第に増光して１００％の点灯を行わせる増光の調光信号をインバータ回路２に出力し、インバータ回路２は蛍光ランプ３の点灯を下限状態から次第に増光して１００％の点灯を行う増光モードに移行させ、蛍光ランプ３の点灯を次第に増光させる。このとき、リモコン用送信器８は増光指令を伝送するよう押圧操作したままとする。
そして、蛍光ランプ３の点灯が１００％の点灯となったときにリモコン用送信器８は増光指令を伝送する押圧操作をやめる。そうすると、蛍光ランプ３の点灯は１００％の点灯で継続される。なお、蛍光ランプ３の点灯が増光モードの途中に、リモコン用送信器８の増光指令を伝送する押圧操作をやめると、蛍光ランプ３の点灯はその時点の増光レベルの点灯が継続されることになる。
【００２５】
この発明の実施の形態１においては、リモコン用送信器８を操作して主照明灯である蛍光ランプ３を１００％の点灯モードで点灯させている場合に、リモコン用送信器８を押圧操作して蛍光ランプ３を暗とさせる減光指令を出力し続けると、蛍光ランプ３が連続的に減光して下限状態になるとその下限状態が一定期間続き、その一定期間経過後に補助照明である豆球４の点灯に自動的に切り換えられるため、リモコン用送信器８の操作を切り換える必要がなくなり、リモコン用送信器８の操作性の利便性が向上する。
また、蛍光ランプ３の点灯が減光の途中にリモコン用送信器８の減光指令を伝送する押圧操作をやめると、蛍光ランプ３の点灯はその時点における減光レベルの点灯が継続されることとなる。
さらに、主照明の蛍光ランプ３の点灯が下限状態になった時に、ある一定期間継続してリモコン用送信器８を押圧操作しない場合は、補助照明の豆球４の点灯に切り換わらず、また主照明灯の蛍光ランプ３の点灯が下限状態になってからすぐにリモコン用送信器８の押圧操作を停止すれば、蛍光ランプ３の点灯が下限状態で継続され、豆球４の点灯に切り換わらないので、蛍光ランプ３の下限状態での点灯モードを容易に選択することができる。
【００２６】
さらに、リモコン用送信器８を操作して補助照明である豆球４を１００％の点灯モードで点灯させている場合に、リモコン用送信器８を押圧操作して主照明である蛍光ランプ３を明とさせる増光指令を出力し続けると、豆球４を即座に消灯させると同時に、蛍光ランプ３の点灯を下限状態から次第に増光して１００％の点灯を行う増光モードに自動的に移行させ、蛍光ランプ３の点灯を次第に増光させ、徐々に明るくなることにより、急激な明るさの変化を防止でき、リモコン用送信器８の操作を切り換える必要がなくなり、リモコン用送信器８の操作性の利便性が向上する。
【００２７】
また、主照明の蛍光ランプ３の点灯が増光している途中にリモコン用送信器８の押圧操作をやめれば、蛍光ランプ３の点灯はその時点における増光レベルの点灯が継続され、蛍光ランプ３の増光の点灯モードを容易に選択することができ、明るさを容易にコントロールすることができる。
さらに、主照明の蛍光ランプ３の下限状態の点灯の明るさと補助照明の豆球４の１００％の点灯の明るさはほぼ同等に設定されているため、増光する場合に、補助照明の豆球４の点灯から主照明の蛍光ランプ３の下限状態の点灯に切り換わる時に光の変化が少なく、安全性が向上する。
【００２８】
実施の形態２．
図３は本発明の実施の形態３の照明装置の構成を示すブロック図である。
この実施の形態４は、図３に示すように下限判定回路１１に音声発生器であるブザー１５を接続するようにしたもので、それ以外の構成は実施の形態１と同様なので、実施の形態１と同様の構成は同一符号を付して重複した構成の説明を省略する。
この実施の形態４では、下限判定回路１１にブザー１４を接続したので、例えばリモコン用送信器８を操作して蛍光ランプ３を１００％の点灯モードで点灯させている場合に、リモコン用送信器８を押圧操作して蛍光ランプ３を暗とさせる減光指令を伝送し続けることにより、蛍光ランプ３が連続的に減光して下限状態になると下限判定回路１１が下限になったことを知らせる下限判定信号を点灯切替制御回路１０に出力するが、それと同時にブザー１４にも出力するため、ブザー１４が鳴動して蛍光ランプ３の点灯が下限状態になったことをリモコン用送信器８の操作者に知らせることができ、リモコン用送信器８の操作者による調光操作を確実に行うことができる。
【００２９】
実施の形態３．
図４は本発明の実施の形態４の照明装置の構成を示すブロック図である。
この実施の形態４は、図３に示すように下限判定回路１１に点滅制御回路１５を接続し、点滅制御回路１５が出力する点滅信号をインバータ回路２に入力するようにしたもので、それ以外の構成は実施の形態１と同様なので、実施の形態１と同様の構成は同一符号を付して重複した構成の説明を省略する。
この実施の形態４では、下限判定回路１１に点滅制御回路１５を接続したので、例えばリモコン用送信器８を操作して主照明である蛍光ランプ３を１００％の点灯モードで点灯させている場合に、リモコン用送信器８を押圧操作して主照明灯である蛍光ランプ３を暗とさせる減光指令を出伝送し続けることにより、蛍光ランプ３が連続的に減光して下限状態になると下限判定回路１１が下限になったことを知らせる下限判定信号を点灯切替制御回路１０に出力するが、それと同時に点滅制御回路１５にも出力するため、点滅制御回路１５が下限判定信号に基づいてインバータ回路２に点滅信号を出力し、インバータ回路２は蛍光ランプ３の点灯を点滅させて下限状態になったことをリモコン用送信器８の操作者に知らせることができ、リモコン用送信器８の操作者による点灯操作を確実に行うことができる。
【００３０】
実施の形態４．
図５は本発明の実施の形態２の照明装置の構成を示すブロック図、図６は同照明装置の動作説明図である。
図において、本発明の実施の形態１と同様の構成は同一符号を付して重複した構成の説明を省略する。
この実施の形態４は、補助照明制御回路７と点灯切替制御回路１０との間に、補助照明である豆球４の連続的に明るさを制御する位相制御回路１６を設け、さらに位相制御回路１６が出力する位相制御信号に基づいて豆球４の調光の上限判定を行い、上限判定信号を点灯切替回路１０に出力する上限判定回路１７を設けたものである。
この実施の形態４では、リモコン用送信器８を操作して主照明である蛍光ランプ３を１００％の点灯モードで点灯させている場合に、リモコン用送信器８を押圧操作して主照明である蛍光ランプ３を暗とさせる減光指令を伝送し続けることにより、主照明灯である蛍光ランプ３の点灯から補助照明である豆球４の点灯に自動的に切り換えられた場合に、豆球４の明るさを連続的に減光制御できるようにした点が実施の形態１と相違するので、以下に実施の形態１と相違する動作について説明する。
【００３１】
まず、リモコン用送信器８を操作して主照明である蛍光ランプ３を１００％の点灯モードで点灯させている場合に、更にリモコン用送信器８を押圧操作して主照明である蛍光ランプ３を暗とさせる減光指令を伝送することにより、主照明灯である蛍光ランプ３の点灯から補助照明灯である豆球４の点灯に切り換える場合に、実施の形態１では豆球４を１００％の点灯としているが、この実施の形態２では点灯切替制御回路１０が補助照明である豆球４を点灯させる点灯信号を位相制御回路１６に出力し、その点灯信号を受けた位相制御回路１６は減光するよう位相制御した点灯信号を補助照明制御回路７に出力する。
そうすると、補助照明制御回路７は位相制御回路１６からの減光するよう位相制御した点灯信号に基づいて豆球４を１００％の点灯モードから徐々に連続的に減光し、最終的には消灯させる。
なお、豆球４を最終的に消灯させるには、消灯するまでリモコン用送信器８を減光指令を伝送する押圧操作し続ける必要がある。また、豆球４の点灯が減光モードの途中に、リモコン用送信器８の減光指令を出力する押圧操作をやめると、豆球４の点灯はその時点における減光レベルの点灯が継続されることになる。
【００３２】
次に、リモコン用送信器８を操作して補助照明である豆球４を１００％の点灯モードで点灯させようとしてリモコン用送信器８を押圧操作して補助照明である豆球４を明とさせる増光指令を伝送し続けると、その増光指令を赤外線受信回路９が受信する。赤外線受信回路９は伝送された増光指令を電気指令信号に変換して点灯切替制御回路１０に出力し、点灯切替制御回路１０はその電気指令信号に基づき増光制御信号を位相制御回路１６に出力する。その増光制御信号を受けた位相制御回路１６は増光するよう位相制御した点灯信号を補助照明制御回路７に出力する。
そうすると、補助照明制御回路７は位相制御回路１６からの増光するよう位相制御した点灯信号に基づいて豆球４を消灯から徐々に連続的に増光し、最終的には１００％の点灯モードとする。このとき、リモコン用送信器８は増光指令を伝送するよう押圧操作したままとする。なお、豆球４の点灯が増光途中にリモコン用送信器８の増光指令を伝送する押圧操作をやめると、豆球４の点灯はその時点における増光レベルの点灯が継続されることとなる。
【００３３】
そして、豆球４の点灯が１００％に達し、更にリモコン用送信器８が増光指令を伝送するよう押圧操作されたままで一定期間経過すると、点灯切替制御回路１０では上限判定回路１７からの上限判定信号を受けて内蔵のタイマーを起動させ、それから一定期間経過後に赤外線受信回路９から増光光指令の電気指令信号を受けていれば、補助照明である豆球４の点灯を停止させる消灯信号を補助照明制御回路７に出力すると共に蛍光ランプ３を点灯させる増光制御信号を調光制御回路５に出力する。
【００３４】
補助照明制御回路７では切替制御回路１０からの消灯信号に基づいて豆球４の点灯を即座に停止させると共に、調光制御回路５では切替制御回路１０からの増光制御信号に基づいて所定の下限状態（豆球４の１００％の光束となる状態）から次第に増光して１００％の点灯を行わせる増光の調光信号をインバータ回路２に出力し、インバータ回路２は蛍光ランプ３の点灯を下限状態から次第に増光して１００％の点灯を行う増光モードに移行させ、蛍光ランプ３の点灯を次第に増光させる。
【００３５】
このとき、リモコン用送信器８は増光指令を出力するよう押圧操作したままとする。そして、蛍光ランプ３の点灯が１００％の点灯となったときにリモコン用送信器８は増光指令を出力する押圧操作を停止する。そうすると、蛍光ランプ３の点灯は１００％の点灯で継続される。なお、蛍光ランプ３の点灯が増光モードの途中に、リモコン用送信器８の増光指令を出力する押圧操作をやめると、蛍光ランプ３の点灯はその時点におけう増光レベルの点灯が継続されることになる。
【００３６】
この発明の実施の形態４においては、主照明灯である蛍光ランプ３を１００％の点灯モードで点灯している途中に、リモコン用送信器８を押圧操作して蛍光ランプ３を暗とさせる減光指令を伝送し続けることにより、蛍光ランプ３が連続的に減光し、下限状態になった時点から一定期間経過後に補助照明灯である豆球４の点灯に自動的に切り換えられた場合に、補助照明灯である豆球４の点灯を１００％の点灯モードから徐々に連続的に減光し、最終的には消灯させるため、主照明灯の蛍光ランプ３が連続的に暗くなった後に、補助照明灯の豆球４も連続的に暗くなることとなり、急激な明るさの変化を防止することができ、リモコン用送信器８の操作を切り換える必要がなくなり、リモコン用送信器８の操作性の利便性が向上する。
【００３７】
また、リモコン用送信器８を操作して補助照明灯である豆球４を１００％の点灯モードで点灯させようとしてリモコン用送信器８を押圧操作して補助照明である豆球４を明とさせる増光指令を伝送し続けることにより、豆球４を消灯から徐々に連続的に増光し、最終的には１００％の点灯モードとし、１００％の点灯モードになった時点から一定期間経過後に主照明灯である蛍光ランプ３の点灯に自動的に切り換えられた場合に、蛍光ランプ３の点灯を下限状態から次第に増光して１００％の点灯を行う増光モードに移行させ、蛍光ランプ３の点灯を次第に増光させるため、補助照明灯の豆球４が連続的に明るくなった後、主照明灯の蛍光ランプ３も連続的に明るくなることとなり、急激な明るさの変化を防止することができ、リモコン用送信器８の操作を切り換える必要がなくなり、リモコン用送信器８の操作性の利便性が向上する。
【００３８】
さらに、主照明灯の蛍光ランプ３の下限状態の点灯の明るさと補助照明灯の豆球４の１００％の点灯の明るさはほぼ同等に設定されているため、蛍光ランプ３から豆球４への切り換わり及び豆球４から蛍光ランプ３への切り換わりの場合に、光の変化が少なく、安全性が向上する。
また、補助照明の豆球４の点灯が増光している途中にリモコン用送信器８の押圧操作をやめれば、豆球４の点灯はその時点における増光レベルの点灯が継続され、豆球４の増光の点灯モードにおいて豆球４の明るさを容易にコントロールできることとなった。
【００３９】
上記実施の形態４において、実施の形態２のように下限判定回路１１の下限判定信号に基づき下限状態になったことを知らせるため、ブザー１４を鳴らして報知したり、実施の形態３のように下限判定回路１１の下限判定信号に基づき点滅制御回路１５により下限状態になったことを知らせるよう蛍光ランプ３を点滅させて報知するようにしてもよいことは勿論である。
また、上限判定回路１５の判定信号に基づき上限状態になったことを知らせるため、ブザー１４を鳴らしたり、蛍光ランプ３を点滅させて報知するようにしてもよいことも勿論である。
【００４０】
【発明の効果】
以上のように本発明の請求項１によれば、点灯切替制御回路はリモコン用送信器から伝送された主照明灯点灯指令に基づいて調光制御回路に点灯制御信号を出力した後に、更にリモコン用送信器から減光指令が伝送されたときにその減光指令に基づいて調光制御回路に減光制御信号を出力し、下限判定回路が主照明灯の減光状態が所定の下限に達したことを判別した下限判別信号に基づき、その下限状態を一定期間継続させ、その一定期間経過後に更にリモコン用送信器から減光指令が伝送されているときに調光制御回路に消灯制御信号を出力すると共に補助照明制御回路に点灯信号を出力するので、リモコン用送信器を操作して主照明灯を１００％の点灯モードで点灯させている場合に、更にリモコン用送信器を押圧操作して主照明灯を暗とさせる減光指令を伝送し続けると、主照明灯が連続的に減光し、下限状態になるとその下限状態が一定期間続き、一定期間経過後に補助照明灯の点灯に自動的に切り換えられるため、リモコン用送信器の操作を切り換える必要がなくなり、リモコン用送信器の操作性の利便性が向上する効果がある。
【００４１】
本発明の請求項２によれば、上記点灯切替制御回路は上記リモコン用送信器から減光指令が伝送されている途中に、更にリモコン用送信器からの減光指令が停止されたときは当該停止時における減光状態の減光制御信号を調光制御回路に出力し続けるので、主照明灯の点灯が減光している途中にリモコン用送信器の押圧操作をやめれば、主照明灯の点灯はその時点における減光レベル又は下限レベルの点灯が継続され、主照明灯の減光の点灯モード又は下限状態の点灯モードを容易に選択することができ、主照明灯の明るさを容易にコントロールできるという効果がある。
【００４２】
本発明の請求項３によれば、点灯切替制御回路がリモコン用送信器から伝送された補助照明点灯指令に基づいて補助照明制御回路に点灯制御信号を出力して補助照明を点灯させた状態を継続させた後に、更にリモコン用送信器から増光指令が伝送されたときにその増光指令に基づいて補助照明制御回路に消灯信号を出力すると共に調光制御回路に増光制御信号をインバータ回路に出力するので、リモコン用送信器を操作して補助照明である補助灯を１００％の点灯モードで点灯させている場合に、リモコン用送信器を押圧操作して主照明である主照明灯を明とさせる増光指令を伝送し続けると、補助照明灯を即座に消灯させると同時に、主照明灯の点灯を下限状態から次第に増光して１００％の点灯を行う増光モードに自動的に移行させ、主照明灯の点灯を次第に増光させ、徐々に明るくなることにより、急激な明るさの変化を防止でき、リモコン用送信器の操作を切り換える必要がなくなり、リモコン用送信器の操作性の利便性が向上する効果がある。また、補助照明制御回路に消灯信号が出力されるときの補助照明灯の点灯の明るさと、主照明灯の下限状態の点灯の明るさとがほぼ同等に設定されているので、補助照明の補助灯の点灯から主照明灯の下限状態の点灯に切り換わる時に光の変化が少なく、安全性が向上する。
【００４３】
本発明の請求項４によれば、上記点灯切替制御回路は上記リモコン用送信器から増光指令が伝送されたときにその増光指令に基づいて調光制御回路に増光制御信号を出力している途中で更にリモコン用送信器からの増光指令が停止されたときは当該停止時における増光状態の増光制御信号を調光制御回路に出力し続けるようにしたので、主照明灯の点灯が増光している途中にリモコン用送信器の押圧操作をやめれば、主照明灯の点灯はその時点におけう増光レベルの点灯が継続され、主照明灯の増光の点灯モードを容易に選択することができ、主照明灯の明るさを容易にコントロールできるという効果がある。
【００４４】
本発明の請求項５によれば、上記補助照明制御回路と上記点灯切替制御回路との間に位相制御回路を設け、該位相制御回路は上記点灯切替制御回路からの点灯信号に基づいて上記補助照明制御回路に減光するよう位相制御した点灯信号を出力するようにしたので、主照明灯が連続的に減光して暗くなった後に、補助照明灯も連続的に暗くなることとなり、急激な明るさの変化を防止することができ、この場合もリモコン用送信器の操作を切り換える必要がなくなり、リモコン用送信器の操作性の利便性が向上する効果がある。
【００４５】
本発明の請求項６によれば、上記点灯切替制御回路は上記位相制御回路が上記補助照明制御回路に減光するよう位相制御した点灯信号を出力している途中で更にリモコン用送信器からの減光指令が停止されたときは当該停止時における減光状態の点灯信号を上記補助照明制御回路に出力し続けるので、補助照明灯が減光モードの途中に、リモコン用送信器の減光指令を出力する押圧操作をっやめると、補助照明灯はその時点における減光れべるの点灯が継続されることになり、補助照明灯の減光の点灯モードを容易に選択することができ、補助照明灯の明るさを容易にコントロールできるという効果がある。
【００４６】
本発明の請求項７によれば、上記位相制御回路が出力する増光するよう位相制御した点灯信号に基づいて補助照明灯の調光の上限判定を行い、上限判定信号を上記点灯切替制御回路に出力する上限判定回路を備え、上記点灯切替制御回路は上限判定回路が補助照明灯の増光状態が所定の上限に達したことを判別した上限判別信号に基づき、その上限状態を一定期間継続させ、その一定期間経過後に更にリモコン用送信器から増光指令が伝送されているときに上記位相制御回路に消灯制御信号を出力すると共に上記調光制御回路に増光制御信号を出力するようにしたので、補助照明灯を消灯から徐々に連続的に増光していき、１００％の点灯モードになった時点から一定期間経過後に主照明灯の点灯に自動的に切り換えられた場合に、主照明灯の点灯を下限状態から次第に増光して１００％の点灯を行う増光モードにするため、補助照明灯が連続的に明るくなった後、主照明灯も連続的に明るくなることにより、急激な明るさの変化を防止することができ、この場合もリモコン用送信器の操作を切り換える必要がなくなり、リモコン用送信器の操作性の利便性が向上する効果がある。
【００４７】
本発明の請求項８によれば、上記点灯切替制御回路は上記リモコン用送信器から増光指令が伝送されている途中に、更にリモコン用送信器からの増光指令が停止されたときは当該停止時における増光状態の点灯信号を補助照明制御回路に出力し続けるようにしたので、補助照明灯の点灯が増光している途中にリモコン用送信器の押圧操作をやめれば、補助照明灯の点灯はその時点における増光レベルの点灯又は上限レベルの点灯が継続され、補助照明灯の増光点灯モード又は上限状態の点灯モードを容易に選択することができ、補助照明灯の明るさを容易にコントロールできるという効果がある。
【００４８】
本発明の請求項９によれば、上記下限判定回路からの下限判定信号を受けて鳴動する音声発生器を備えているので、主照明灯が連続的に減光し、下限状態になると下限判定回路が下限になったことを知らせる下限判定信号を音声発生器に出力するので、音声発生器が鳴動して主照明灯の点灯が下限状態になったことをリモコン用送信器の操作者に知らせることができ、リモコン用送信器の操作者による点灯操作を確実に行うことができることとなった。
【００４９】
本発明の請求項１０によれば、上記下限判定回路からの下限判定信号を受けて上記インバータ回路に点滅信号を出力する点滅制御回路を備えているので、主照明灯が連続的に減光し、下限状態になると下限判定回路が下限になったことを知らせる下限判定信号を点滅制御回路に出力するため、点滅制御回路が下限判定信号に基づいてインバータ回路に点滅信号を出力し、インバータ回路は主照明灯の点灯を点滅させて下限状態になったことをリモコン用送信器の操作者に知らせることができ、リモコン用送信器の操作者による点灯操作を確実に行うことができることとなった。
【図面の簡単な説明】
【図１】  本発明の実施の形態１の照明装置の構成を示すブロック図である。
【図２】  同照明装置の動作説明図である。
【図３】  本発明の実施の形態２の照明装置の構成を示すブロック図である。
【図４】  本発明の実施の形態３の照明装置の構成を示すブロック図である。
【図５】  本発明の実施の形態４の照明装置の構成を示すブロック図である。
【図６】  同照明装置の動作説明図である。
【図７】  従来の照明装置の構成を示すブロック図である。
【図８】  同照明装置の動作説明図である。
【符号の説明】
１  電源回路、２  インバータ回路、３  蛍光ランプ（主照明灯）、４  豆球（補助照明灯）、５  調光制御回路、７  補助照明制御回路、８  リモコン送信器、１０  点灯切替回路、１１  下限判定回路。
【図１】
0004776057.tif 000002
【図２】
0004776057.tif 000003
【図３】
0004776057.tif 000004
【図４】
0004776057.tif 000005
【図５】
0004776057.tif 000006
【図６】
0004776057.tif 000007
【図７】
0004776057.tif 000008
【図８】
0004776057.tif 000009